(57)【要約】      （修正有）【課題】長手方向とは異なった方向を向いたビーム放射が可能な択一的な懐中電灯構造を提供すること。【解決手段】少なくとも実質的に円筒形のケーシング１０と、光源としての発光ダイオード１４とを有するロッド状の懐中電灯であって、この懐中電灯は、ケーシング１０に配置されたスイッチ１８を介してスイッチオンおよびスイッチオフ可能であり、この懐中電灯のビームはケーシングにおける光放射開口部を通して放射される形式の、ロッド状懐中電灯において、上記の光放射開口部２１は、ケーシング１０の円筒側面に配置されており、これによってビームが半径方向に放射されるようにした。【選択図】図２
0003109661.tif 000002
【実用新案登録請求の範囲】
【請求項１】
少なくとも実質的に円筒形のケーシング（１０）と、光源としての発光ダイオード（１４）とを有するロッド状の懐中電灯であって、
該懐中電灯は、ケーシング（１０）に配置されたスイッチ（１８）を介してスイッチオンおよびスイッチオフ可能であり、
当該懐中電灯のビームはケーシングにおける光放射開口部を通して放射される形式の、ロッド状の懐中電灯において、
前記の光放射開口部（２１）は、ケーシング（１０）の円筒側面に配置されており、これによってビームが半径方向に放射されるようにしたことを特徴とする
懐中電灯。
【請求項２】
前記ランプケーシング（１０）にクリップ（１９）が固定されている、
請求項１に記載の懐中電灯。
【請求項３】
前記のスイッチ（１８）はケーシング（１０）の前面部に固定されている、
請求項１または２に記載の懐中電灯。
【請求項４】
前記の発光ダイオード（１４）はくぼんだ反射器（１５）に配置されている、
請求項１から３までのいずれか１項に記載の懐中電灯。
【請求項５】
赤の光放射スペクトルを有する発光ダイオード（１４）を使用する、
請求項１から４までのいずれか１項に記載の懐中電灯。
【請求項６】
ビームを半径方向に放射する少なくとも２つの発光ダイオードが設けられている、
請求項１から５までのいずれか１項に記載の懐中電灯。
【考案の詳細な説明】
【技術分野】
【０００１】
本考案は、少なくとも実質的に円筒状のケーシングと、光源としての発光ダイオードとを有するロッド状の懐中電灯に関し、ここでこの懐中電灯は、ケーシングに配置されたスイッチを介してスイッチオンおよびスイッチオフ可能であり、またそのビームはケーシングにおける光放射開口部を通して放射される。
【背景技術】
【０００２】
電球の代わりに発光ダイオードを有する懐中電灯の利点は、殊に電流消費が一層少ないことならび発光ダイオードの耐用年数が格段に長いことである。極めて小さな電池に関連して発光ダイオードのサイズが小さいことにより、小型化した構造で懐中電灯を作製することができるようにもなってきた。懐中電灯のサイズは、電池に必要な電池装填部（Batterieschubfach）ならびにボードに固定されるダイオードによって実質的に決定される。
【０００３】
従来技術による公知のロッド状の懐中電灯はすべて前面に光放射開口部を有しているため、放射される光円錐の軸はこの懐中電灯長手方向軸に一致する。
【０００４】
フレキシブルに配向可能なアームを有するランプもすでに公知であり、その端部にランプヘッドが固定されている。これらのランプは、ランプケーシングに固定されるクリップに関連して、ランプケーシングの固定には依存せずにランプヘッドを配向することが可能である。
【考案の開示】
【考案が解決しようとする課題】
【０００５】
本考案の課題は、長手方向とは異なった方向を向いたビーム放射が可能な択一的な懐中電灯構造を提供することである。
【課題を解決するための手段】
【０００６】
上記課題は、本考案の請求項１に解決される。本考案では、光放出開口部は、ケーシングの円筒側面に配置されており、これによってビームは半径方向に放射される。これにより、例えば、実質的に円筒形のケーシングに固定され有利には配向することのできるクリップによって、このランプをベルト、服の折り返し、シャツまたはズボンのポケットに留めることができるため、懐中電灯をオンにすれば、ランプケーシング長手方向軸に垂直に、ひいてはクリップによるこの懐中電灯の取付箇所に対して垂直にビーム放射が行われる。このような利点は、殊に暗がりにおいて、歩行者、ジョガー（jogger）に対して利用可能であり、または照明のついていない自転車、例えばマウンテンバイクで移動しているサイクリストにも有効である。このようにして照明を身につけることができるため、サドルまたは自転車のフォークに応急のランプを補助的に取り付ける必要がない。さらにこのような懐中電灯は、道路使用者に対するパッシブな安全装置として利用できるだけでなく、通常の懐中電灯の機能においても、すなわち、道、ドアベル、ドアロックなどのような照明のない面を照らすのにも利用可能である。
【考案を実施するための最良の形態】
【０００７】
別の有利な実施形態では、オン／オフスイッチをケーシングの前面部に固定する。これにより、クリップと関連して、ランプを衣服に取り付けた状態でも簡単に操作できるという利点が得られる。このようにスイッチを配置することにより、意図せずに円筒側面を押したことによってスイッチを誤って操作してしまうことも阻止されるのである。
【０００８】
別の有利な実施形態によれば、ＬＥＤはくぼんだ反射器に配置されており、これによって配向されたビーム出力を増大させることができる。それは元々所望の方向に放射されていなかった光の損失が反射によって回避されるからである。
【０００９】
有利には赤の光放射スペクトルを有するＬＥＤを使用する。これにより、交通においてパッシブな安全性が得られる。
【００１０】
本考案の別の実施形態では、懐中電灯は複数の発光ダイオードを有することも可能であり、ここでこれらの複数の発光ダイオードはそれぞれ、円筒側面に配置された光放射開口部を通して、半径方向ないしはロッド状のケーシングの長手方向に対して垂直にビームを放射する。このような実施形態では例えば、白色光を放射するダイオードと、赤色光を放射する別のダイオードとを使用することができ、これらは（例えば切換スイッチを介して）交番にスイッチ可能であり、これによって選択的に赤色光または白色光を放出することができる。これは例えば道路使用者にとってこのランプを使用する大きな利点になる。
【実施例】
【００１１】
本考案のランプの実施例を図面に示す。
【００１２】
図示の懐中電灯は、電池装填部を有する円筒状のケーシングから構成されており、この電池装填部には電池１１または電池のグループが配置されている。これは通常、相応するばねコンタクト部１２，１３を介して回路を開くまたは閉じることができる。原理的には従来技術から公知の回路の一部分を発光ダイオード１４がなしており、これはくぼんだ反射器１５によって包囲されており、また集積回路を有するボード１６に配置されている。発光ダイオード１４をスイッチオン／オフするためにスイッチ１７が設けられており、これはスイッチボタン１８を介して操作される。図２にしか示されていないが有利にはクリップが長手方向軸に沿って、また円筒側面に沿って旋回可能に固定されており、このクリップによって懐中電灯を例えばズボンまたはシャツのポケットに固定することができる。
【００１３】
発光ダイオード１４は懐中電灯につぎのように配置されている。すなわち、そのビームが光放射開口部２１を介して懐中電灯長手方向軸２０に対して垂直にまた半径方向に放射されるように配置されているのである。これによればダイオード長手方向軸２２も上記の懐中電灯長手方向軸２０に対して垂直に配向される。「赤の放射スペクトル」を有するダイオードを使用する場合にはこの懐中電灯を、例えば道路交通において照明付きのキャッツアイ（Rueckstrahler）として使用することができる。この際には連続的な光放射または間欠のビーム放射を可能にする回路をランプに設けることも可能である。図示しない別の実施形態によれば、このランプに２つまたはそれ以上の発光ダイオードを配置することもでき、例えば、２つの発光ダイオードを設けて、これらが直径上で逆向きに半径方向にビームを放射するようにする。この際には相異なる放射スペクトル，例えば赤色光と白色光を有する発光ダイオードを使用することも可能である。
【図面の簡単な説明】
【００１４】
【図１】本考案による懐中電灯の実施形態の断面図である。
【図２】本考案による懐中電灯の実施形態の別の断面図である。
【符号の説明】
【００１５】
１０  ケーシング
１１  電池
１２，１３  ばねコンタクト部
１４  発光ダイオード
１５  反射器
１６  ボード
１７  スイッチ
１８  スイッチボタン
１９  クリップ
２０  懐中電灯長手方向軸
２１  光放射開口部
２２  ダイオード長手方向軸
【図１】
0003109661.tif 000003
【図２】
0003109661.tif 000004